(57)【要約】      （修正有）【課題】塵類の取り込み、移動、排出が容易になし得る塵取りを提供する。【解決手段】塵取り本体１の先端部に塵類の取り込み口３を、後端部に開閉蓋を形成した塵類の排出口７を設け、その外側上部に把手９を設け、更に塵取り本体両側面にゴミ収納袋の取手付ビニール袋の取手を係止する逆コ字形のスリット４と平板型フック５を設ける。更に取手１１をＵ字形に形成し箒の柄を収納出来る着脱可能ハイスタンド取手１０の下方脚部に形成したスナップ突起を塵取り本体両側面に２箇所ずつ設けた小穴２に嵌め込み取り付ける。【選択図】図１
2020080912.tif 000002
【特許請求の範囲】
【請求項１】
中空、台形、箱型形状をなし、台形底部の大きい辺側をゴミ取り入れ口として備えた本体とその本体上部に固設した把手とで構成される塵取りに於いて、前記塵取り込み口の反対側の台形底部の小さい辺側の部位に塵類排出口を構成した塵取り。
【請求項２】
前記塵排出口に開閉可能な可動蓋を設けた請求項1の塵取り。
【請求項３】
前記塵取り本体両側面に着脱可能な塵袋、取り付け手段を設けた請求項1又は2の塵取り。
【請求項４】
前記塵取り本体に箒の柄をロックが出来る着脱手段を持つハイスタンド取手を設けた請求項1,2又は3の塵取り。
【発明の詳細な説明】
【技術分野】
【０００１】
本発明は、塵取りに関する  
【背景技術】
【０００２】
様々な電気掃除機の発達により室内の清掃に箒と塵取りを使用することは激減している。しかしながら庭や道路等屋外の広い範囲の掃除には依然として箒と塵取りが使用されている。従来のゴミ清掃に用いる塵取りの形状は(図2)に示すようにゴミ収集部本体1’の後部に取手2’が設けられものである。
【先行技術文献】
【特許文献】
【０００３】
【特許文献１】実用新案登録第３１３９９７６号公報
【発明の概要】
【発明が解決しようとする課題】
【０００４】
従来の塵取りの技術によれば清掃時に塵取り、箒（又は熊手）、ゴミ収納袋等三点を持ち替えて移動、ゴミが塵取りに一杯になるたびにゴミ集積袋又はゴミ箱に移し替えていた。多量の落葉（量）、狭い植込みの間（場所）、風のあるとき（状況）、等の状件が重なった時作業効率が悪かった。又従来の塵取りはゴミ収納時、膝、腰を曲げての作業は身体への負担がかかるという課題がある。
【課題を解決するための手段】
【０００５】
塵取りとゴミ袋一体化する事は集めたゴミを散らすことなく容易にゴミをゴミ袋に収めることができ、又ゴミ袋に買い物後のスーパーマーケットのレジ袋（又は市販の取手付ビニール袋）を利用、その取手部分を利用して装着が容易で確実に装着が可能であり取り外しやすく、又着脱可能ハイスタンド取手を装着する事で清掃時の身体への負担も軽減できる。着脱可能ハイスタンド取手部分には移動時や掃除終了時に利用可能な箒の柄の着脱収納機能が設けられている。又低木の植込みのなか等で着脱可能ハイスタンド取手が邪魔になる時は着脱可能ハイスタンド取手を取り外し本体後部排出口の蓋（扉）を閉じて通常の一般的な塵取りとして使用が可能である又ゴミ排出時は本体を垂直にした状態で後部排出口の蓋（扉）を開放する事でゴミの排出処理が容易に出来る。
【発明の効果】
【０００６】
以上の様に塵取りとゴミ袋を一体化する事ことにより清掃中、塵取り、ゴミ袋などを持ち替えて移動する必要が無くなり、又風が吹いている時でもゴミを直接ゴミ袋に移す事が出来、作業性が極めて向上する。更に着脱可能ハイスタンド取手を使用する事で膝、腰等身体への負担を軽減する姿勢で作業が可能となる。
【図面の簡単な説明】
【０００７】
【図１】本発明形態の一方向からの斜視図
【図２】本発明形態の塵取りにゴミ収納袋装着時の斜視図。
【図３】正面図
【図４】背面図
【図５】平面図
【図６】底面図
【図７】左側面図
【図８】右側面図
【図９】ハイスタンド取手平面図
【図１０】ハイスタンド取手底面図
【図１１】ハイスタンド取手正面図
【図１２】ハイスタンド取手背面図
【図１３】ハイスタンド取手右側面図
【図１４】ハイスタンド取手左側面図
【図１５】本体後部排出口を閉じた状態図（一般的な塵取りとして使用）
【図１６】本体排出口の蓋（扉）を開けた状態図（ゴミ袋を取付前の状態）
【図１７】清掃終了時の箒収納状態図
【図１８】移動時の箒収納図
【図１９】ゴミ袋（取手付ビニール袋）装着工程図
【図２０】ゴミ袋（取手付ビニール袋）装着図
【図２１】従来の一般的な塵取り斜視図
【発明を実施するための形態】
【０００８】
本発明はゴミ収納袋を一体化出来る塵取り本体と着脱可能なハイスタンド取手とで構成される塵取り。
【０００９】
本発明の塵取り本体は熱可塑性樹脂で成型され中空、台形箱型とし上部に取手が形成されている。前部にゴミ掃き入口と後部にゴミ排出口があり、排出口部分に蓋(扉)が形成されている。
塵取り本体両側面に逆コ字形のスリットとその内側にチリトリ本体と一体成形された平板形フックが形成され、後部ゴミ排出口に形成された蓋（扉）を270°回転させ開放
してゴミ収納袋である使用済みスーパーレジ袋（又は市販の取手付ビニール袋）で排出口を包み込むようにして前部ゴミ取り入れ口の方に移動し、ゴミ収納レジ袋（又は市販の取手付ビニール袋）の取手部分を両側面に形成されたスリットと平板形フックを介して引っ掛ける事でゴミ袋と塵取りが一体化した形態（図2）となる。
【００１０】
着脱可能ハイスタンド取手の下方、左右脚部に形成された左右二個ずつのスナップ突起部を塵取り本体の左右両側面に形成された二ヶ所の小穴に押し込んで固定する事で本発明の実施形態となる。
【００１１】
又着脱可能ハイスタンド取手上部の取手部分をU字形構造にすることで箒の柄の部分を水平方向と垂直方向に挟み込む事が出来、移動時や清掃終了時に有効に機能する形態となる。
【実施例】
【００１２】
本発明の塵取り本体(図1)1は熱可塑性樹脂で成型された中空、台形箱型とし上部に取手(図1) 9が形成されている。前部ゴミ掃き入口(図1) 3と後部ゴミ排出口(図1) 7があ
り、該部分に蓋(扉)(図4) 8が設けられている。本体左右両側面には逆コの字型のスリッ
ト(図7) 4、(図8) 4と平板型フック(図7) 5,(図8) 5が本体と一体成型されており、又着
脱可能ハイスタンド取手（図1）10に着脱の為に形成されたスナップ突起部(図9)2aを差し込む為の小穴(図7) 2,（図8）2がチリトリ本体左右両側面に二ヶ所ずつ、計四ケ所形成されている。
【００１３】
ゴミ収納袋は買い物後のスーパ―マーケットのレジ袋（又は市販の手付きビニール袋）を利用する。レジ袋（又は市販の取手付ビニール袋）の装着は後部排出口の蓋（扉）（図4）8を270°回転させ開放状態（図16）にしてレジ袋を覆い被せ前方ゴミ取り入れ口
の方に移動してレジ袋の取手部分を(図7)5,(図8)5に引っ掛けて取り付ける。(図19)(図20)多量のゴミ（秋の落ち葉等）の場合は市販の大型45リットルビニールゴミ袋に取手部分を加工することで対応が可能である。
【００１４】
着脱可能ハイスタンド取手本体(図１)10は塵取り本体(図1)の左右両側面(図7)2,(
図8) 2の小穴を介して着脱可能ハイスタンド取手下部に形成されている左右二ヶ所ずつ計四個のスナップ突起（図10）2aを嵌め込む事で着脱できる。着脱可能ハイスタンド取手分離後の塵取り本体は後方排出口の蓋（扉）(図15)8を閉じる事で一般的な塵取りとして使
用出来る。（図15）
【００１５】
着脱可能ハイスタンド取手の取手部分(図11)11はＵ字形形成されており移動時の利便性の為に箒を水平にセットすることができる(図18)。又清掃終了時、ゴミ排出口後部側のスナップ突起（図13）2aを左右一個所ずつ外し、箒をゴミ取り入れ口（図1）3に差し込み、箒の柄を（図9）12に嵌め込み収納して立てかけて収納する事が出来る。(図17)。
【符号の説明】
【００１６】
1：塵取り本体
1’：従来の一般的な塵取り
2：着脱可能ハイスタンド取手着脱用小穴
2’：従来の一般的な塵取りの取手
2a：スナップ突起
3：前部ゴミ取り入れ口
4：側面逆コ字型スリット
5：平板型フック
6：スーパーマーケットのレジ袋（又は市販の取手付ビニール袋）
7: 後部ゴミ排出口
8: 後部排出口蓋（扉）
9：取手
10：着脱可能ハイスタンド取手本体
11：取手
12：箒クリップ
13：裏蓋（扉）ストッパーガード
14：裏蓋ストッパー
【図１】
2020080912.tif 000003
【図２】
2020080912.tif 000004
【図３】
2020080912.tif 000005
【図４】
2020080912.tif 000006
【図５】
2020080912.tif 000007
【図６】
2020080912.tif 000008
【図７】
2020080912.tif 000009
【図８】
2020080912.tif 000010
【図９】
2020080912.tif 000011
【図１０】
2020080912.tif 000012
【図１１】
2020080912.tif 000013
【図１２】
2020080912.tif 000014
【図１３】
2020080912.tif 000015
【図１４】
2020080912.tif 000016
【図１５】
2020080912.tif 000017
【図１６】
2020080912.tif 000018
【図１７】
2020080912.tif 000019
【図１８】
2020080912.tif 000020
【図１９】
2020080912.tif 000021
【図２０】
2020080912.tif 000022
【図２１】
2020080912.tif 000023